(57)【要約】【課題】  同じ屋根面に共存するケースが多い同じ外装材同士および異なる外装材の組み合わせからなる外装構造における外装材の軒棟方向の接続用にメイン部品として使えて共用可能である外装構築用支持部材を提供する。【解決手段】屋根下地上に取付け可能な固定部１ａと、太陽電池モジュールの棟側端部または屋根材等の外装材の棟側を載置可能またはこれらが保持部材を介して取付け可能な載置部１ｂと、この載置部１ｂから立ち上がる起立部１ｃと、この起立部１ｃ上に位置して、太陽電池モジュールの軒側端部もしくは外装材の軒側が載乗可能な載乗部１ｄを有し、起立部１ｃの上端近傍に載乗部１ｄを延出状に形成してあり、載乗部１ｄの被取付部において、太陽電池モジュールの軒側を押圧保持し、載置部１ｂにおいて、太陽電池モジュールの棟側を押圧保持する保持カバー８が取付け可能に設けられることを特徴とする外装構築用支持部材である。【選択図】  図２
2011202504.tif 000002
【特許請求の範囲】
【請求項１】
屋根下地上に取付け可能な固定部と、
太陽電池モジュールの棟側端部または外装材の棟側を載置あるいは保持部材を介して取付け可能な載置部と、
この載置部から立ち上がる起立部と、
この起立部上に位置して、太陽電池モジュールの軒側端部または外装材の軒側が載乗可能な載乗部を有し、
前記起立部の上端近傍に前記載乗部を延出状に形成してあり、
前記載乗部の被取付部において、太陽電池モジュールの軒側を押圧保持すると共に、前記載置部において、太陽電池モジュールの棟側を押圧保持する保持カバー部材が取付け可能に設けられることを特徴とする外装構築用支持部材。
【発明の詳細な説明】
【技術分野】
【０００１】
本発明は外装材が枠材（フレーム）を有しない太陽電池モジュールあるいは屋根材もしくは両者の組み合わせ等からなる外装構造の構築用に有用な支持部材に関する。
【背景技術】
【０００２】
従来例では、太陽電池モジュールの周縁に枠材を配して「パネル」として敷設するものや、同モジュールを屋根材の表面に一体化（貼着等）して敷設している。
前者の「パネル」として敷設する場合、太陽電池モジュールの水上側、水下側、左右側縁にフレームを取り付けて屋根パネルとして施工するものである（特許文献１および特許文献２参照）。
後者の屋根材の表面に貼着する場合、屋根材の対象部分にモジュール収納用（凹部等）やケーブルの取り出し用開口部等の加工を行い、モジュールを一体化した屋根材を屋根面に施工するものである（特許文献３および特許文献４参照）。
しかし、パネル化するものでは、フレーム材が複数になることが避けられずに材料費の増大や、組み付け（パネル化）に時間を要し、また、屋根材に一体化するものでは、屋根材の成型や一体化作業にコストがかかるという問題があり、特に、屋根上に太陽電池モジュールを敷設し終えるまでの一連の作業手間に関する施工性について、より簡単に、より速く、施工し得るシステムが望ましい。
また、太陽電池モジュールが敷設される屋根面には、太陽電池モジュール同士が接続して敷設されている部位の他に、太陽電池モジュールと屋根材が接続されている部位が、さらに、屋根材同士が接続して敷設されている部位が、同じ屋根面に共存しているケースが多い。
このような場合、各部位毎にそれぞれ専用の部材を用意して対応しており、部品点数が多くなることで、施工が面倒であるばかりか、部品管理も容易ではないし、製作コストが高くなる。
【先行技術文献】
【特許文献】
【０００３】
【特許文献１】特開平９−２７９７９０
【特許文献２】特開平１０−２９４４８５
【特許文献３】特開平６−１４０６５６
【特許文献４】特開平１１−３３０５２５
【発明の概要】
【発明が解決しようとする課題】
【０００４】
解決しようとする課題は、同じ屋根面に併設されるケースが多い同一の外装材同士および異なる外装材の組み合わせからなる外装構造における外装材の軒棟方向の接続用たとえば枠材を有しない太陽電池モジュール同士の接続用、太陽電池モジュールと屋根材の接続用、屋根材同士の接続用の全てにメイン部品として使えて共用可能である外装構築用支持部材を提供すると共に、太陽電池モジュールの軒側及び棟側を押圧保持する組み付け作業が施工し易い外装構築用支持部材を提供することにある。
【課題を解決するための手段】
【０００５】
本発明は前記した課題を達成するため、外装構築用支持部材では以下の構成にしたことを特徴とする。
屋根下地上に取付け可能な固定部と、太陽電池モジュールの棟側端部または外装材の棟側を載置あるいは保持部材を介して取付け可能な載置部と、この載置部から立ち上がる起立部と、この起立部上に位置して、太陽電池モジュールの軒側端部または外装材の軒側が載乗可能な載乗部を有し、前記起立部の上端近傍に前記載乗部を延出状に形成してあり、前記載乗部の被取付部において、太陽電池モジュールの軒側を押圧保持すると共に、前記載置部において、太陽電池モジュールの棟側を押圧保持する保持カバー部材が取付け可能に設けられることを特徴とする。（図１、２、４〜７参照）
【０００６】
本発明における屋根下地とは、ＲＣ、鉄骨造等の新たに構築される公知の屋根下地であっても、窯業、セメント、金属等からなる既設の屋根等であってもよく、さらに、ゴムアス等の防水処理を施したものも含まれる。
支持部材は、屋根下地上に取付け可能な固定部と、太陽電池モジュールまたは外装材を載置あるいは保持部材を介して取付け可能な載置部と、この載置部から立ち上がる起立部と、この起立部上に位置して、太陽電池モジュールの軒側端部もしくは外装材の軒側が載乗可能な載乗部を有しているものであればよい。
載置部は、棟側載置部と軒側載置部とからなり、この棟側載置部は、保持部材を載置した状態にビス等の固定具で固定可能にしてあるものであってもよいし、保持部材を載置した状態に掛止すると共にビス等の固定具で固定可能にしてあるものであってもよいし、保持部材を係止あるいは嵌合もしくは接着する等して固定するように形成してあるものでもよい。
さらに、軒側載置部は、太陽電池モジュールの軒側端部もしくは外装材の軒側が載乗可能な載乗可能な軒側載置部を、当該載置部の一部として形成しているものであってもよいし、そうでなくてもよい。
また、載乗部は、棟側載乗部と、その軒側に連続する被取付部とからなり、この棟側載乗部は太陽電池モジュールの軒側端部が載乗可能な態様のものであればよい。前記軒側載置部と同モジュールの棟側端部との接触面および／または棟側載乗部と同モジュールの軒側端部との接触面には、止水のためのパッキン材を介在させてもよいし、また、接着を目的とする止水シール材あるいは両方を兼ねる粘着性を有するゴム材等を介在させるものでもよい。
さらに、被取付部は、保持カバー部材をボルト・ナット等の固定具で取付け固定可能に形成してあるものであってもよいし、保持カバー部材を係止あるいは嵌合もしくは接着する等して固定するように形成してあるものでもよい。
上下対向状の軒側載置部と軒側受け部間における差込部は、桁行き方向に隣り合う太陽電池モジュールおよび／または屋根材の左右側縁部が挟持状に保持される接続部材の軒側端部を、太陽電池モジュール裏面あるいは屋根材裏面に配設される補強材の軒側端部を、それぞれ軒側から棟側に向けて挿入状に差し込むことで保持可能な態様であればよい。
棟側受け部は、棟側載乗部の棟側下位に上面開放状に設けられていて、接続部材の軒側端部を載乗可能に形成してあればよい。また、この棟側受け部は、当該受け部に接続部材の軒側端部を載乗した状態にビス等の固定具で固定可能にしてもよいし、そうでなくともよい。
【０００７】
保持部材は、載置部に載置した状態に取付け固定可能であるものになる。そして、保持部材は、下段側の太陽電池モジュールの棟側端部を押えて軒側載置部との間に挟持状に保持可能な軒側押え部と、上段側の屋根材の軒側成形部が係止可能な被係止部を有しているものでもよいし、下段側の屋根材の棟側成形部が係止可能あるいは下段側の屋根材の棟側成形部と上段側の屋根材の軒側成形部が相互に係合した状態で係止可能な被係止部を有しているものであってもよいし、下段側の太陽電池モジュールの棟側端部を押えて軒側載置部との間に挟持状に保持可能な軒側押え部を有しているものでもよい。かかる保持部材は長尺材でもピース材でもよい。
【０００８】
保持カバー部材は、被取付部に取付け固定可能なものになる。そして、保持カバー部材は、上段側の太陽電池モジュールの軒側端部を押えて棟側載乗部との間に挟持状に保持可能な棟側押え部と、下段側の太陽電池モジュールの棟側端部あるいは下段側の屋根材の棟側成形部上まで延びる覆い部を有しているものでもよいし、上段側の太陽電池モジュールの軒側端部を押えて棟側載乗部との間に挟持状に保持可能な棟側押え部と、下段側の太陽電池モジュールの棟側端部を押えて軒側載置部との間に挟持状に保持可能な軒側押え部を有しているものでもよいし、上段側の太陽電池モジュールの軒側端部を押えて棟側載乗部との間に挟持状に保持可能な棟側押え部と、下段側の屋根材の棟側成形部を支持部材側に掛止状態に抜止する掛止部を有しているものでもよいし、上段側の屋根材の軒側成形部と下段側の屋根材の棟側成形部が相互に係止した状態で、当該両成形部を支持部材側に掛止状態に抜止する掛止部を有しているものでもよい。かかる保持カバー部材は長尺材でもピース材でもよい。
また、保持カバー部材は保持部材と前記した別部材からなる二部材としてもよいし、一体化された一部材であってもよい。
【０００９】
接続部材は、桁行き方向に隣り合う太陽電池モジュールおよび／または屋根材の左右側縁部を挟持状に保持して、上下段の支持部材間に組み付け状態に配設可能であればよい。この接続部材は、太陽電池モジュールあるいは屋根材の左右側縁部を上接続部材と下接続部材間に挟持状にボルト・ナット等の締結具で保持して、上下段の支持部材間に組み付け状態に配設可能にしてある上下一対の二部材からなる態様のものであってもよいし、太陽電池モジュールあるいは屋根材の左右側縁部が保持される保持部を有して、上下段の支持部材間に組み付け状態に配設可能にする一部材からなる態様のものであってもよい。
接続部材の組み付け状態は、上下段の支持部材に組み付けられて配設される態様に限定されず、その他の態様として、たとえば、支持部材および屋根下地に組み付けられて配設される態様、屋根下地に組み付けられて配設される態様のものであってもよい。かかる組み付けは、挿入あるいはビス等の固定具もしくは双方を併用して組み付けられるものであってもよく、その他の組み付け方を含めて特に限定されない。
接続部材が二部材からなる態様のものである場合、下接続部材は、太陽電池モジュールあるいは屋根材の左右側縁部が載乗するに足る幅（桁行き方向）および上段側の支持部材における差込部と下段側の支持部材における棟側受け部に達する長さ（軒棟方向）を有しているものであればよい。かかる下接続部材には長さ方向の排水部を設けるようにしてもよいし、そうしなくてもよく、前者であれば雨仕舞が良好になる。
上接続部材は、太陽電池モジュールあるいは屋根材の左右側縁部に跨って押えるに足る幅および長さを有しているものになる。また、上接続部材はピース材であってもよく、この場合、ピース材を覆設するように別途カバー部材（化粧部材）を配設するようにしてもよい。
下接続部材への上接続部材の取り付けは、前記した締結具に限らず、嵌合、係合、その他の取り付け手段でもよい。この下接続部材に上接続部材を組み付けることで、両部材間に太陽電池モジュールあるいは屋根材の側縁部を挟持可能であればよい。
【００１０】
太陽電池モジュールは、正方形あるいは長方形等の適宜板状のもので、周縁部に保護枠体を有しないものになる。
また、支持部材における長手方向の載置部端縁下側には排水空間を設けるようにしてもよく、この排水空間は、外装材下側の下地面全域に設けられる下葺き材、あるいは、支持部材の長手方向の端部の接続箇所下側に設けられるドレーン（排水部材）、もしくは、双方であってもよく、上段側の太陽電池モジュールから棟側載乗部および棟側受け部上に侵入した水（侵入水、結露水）が、支持部材の載置部上に排出されるために、棟側載乗部および棟側受け部上から載置部上に通じる「水抜孔」を開けることで排出されるようにしてもよいし、下地上の全部、もしくは部分的に設けられる排水空間に排出するものでもよく、「孔」と「排水空間」の併用であってもよい。
【発明の効果】
【００１１】
請求項１により、同じ屋根面に共存するケースが多い同一の外装材および異なる外装材の組み合わせからなる外装構造における外装材の軒棟方向の接続用たとえば枠材を有しない太陽電池モジュール同士の接続用、太陽電池モジュールと屋根材の接続用、屋根材同士の接続用の全てにメイン部品として使えて共用することができるので、製作コストの低減化に大きく貢献でき、さらに、太陽電池モジュールの軒側及び棟側を押圧保持する保持カバー部材の組み付け作業が、載乗部の差込部に保持カバー部材を取付けるだけの単純作業で行なえるようにすることができるので施工し易い。
【図面の簡単な説明】
【００１２】
【図１】本発明の外装構築用支持部材における実施の１形態を例示している側面図。
【図２】本発明の外装構築用支持部材を用いた外装構造における実施の１形態として、太陽電池モジュールからなる屋根面を構築した例を示す縦断面図。
【図３】部分縦断正面図。
【図４】本発明の外装構築用支持部材を用いた外装構造における実施の１形態として、太陽電池モジュールからなる屋根面を構築した他の例を示す縦断面図。
【図５】本発明の外装構築用支持部材を用いた外装構造における実施の１形態として、太陽電池モジュールからなる屋根面を構築した他の例を示す縦断面図。
【図６】本発明の外装構築用支持部材を用いた外装構造における実施の１形態として、上段側の太陽電池モジュールと下段側の屋根材からなる屋根面を構築した例を示す縦断面図。
【図７】本発明の外装構築用支持部材を用いた外装構造における実施の１形態として、上段側の太陽電池モジュールと下段側の屋根材からなる屋根面を構築した例を示す縦断面図。
【図８】本発明の外装構築用支持部材を用いた外装構造における実施の１形態として、上段側の屋根材と下段側の太陽電池モジュールからなる屋根面を構築した例を示す縦断面図。
【図９】本発明の外装構築用支持部材を用いた外装構造における実施の１形態として、上段側の屋根材と下段側の太陽電池モジュールからなる屋根面を構築した例を示す縦断面図。
【図１０】本発明の外装構築用支持部材を用いた外装構造における実施の１形態として、上下段が屋根材からなる屋根面を構築した例を示す縦断面図。
【図１１】本発明の外装構築用支持部材を用いた外装構造における実施の１形態として、上下段が屋根材からなる屋根面を構築した例を示す縦断面図。
【図１２】本発明の外装構築用支持部材を用いた外装構造における実施の１形態として、接続部材による太陽電池モジュールと屋根材の接続例を示す部分縦断面図。
【発明を実施するための形態】
【００１３】
図１には本発明の外装構築用支持部材における実施の１形態を例示しており、支持部材１は、流れ方向と交わる桁行き方向に長尺状の同一断面形状のもので、屋根下地上に取付け可能な固定部１ａと、太陽電池モジュールまたは屋根材等の外装材を載置可能であるかあるいはこれらが保持部材を介して取付け可能な載置部１ｂと、この載置部１ｂから立ち上がる起立部１ｃと、この起立部１ｃ上に位置して、太陽電池モジュールの軒側端部もしくは外装材の軒側が載乗可能な載乗部１ｄを有している。
軒側の固定部１ａ上に形成される軒側脚部１ｅと棟側の固定部１ａ上に形成される棟側脚部１ｅの上方には、載置部１ｂを横設してある。
この載置部１ｂは、軒側脚部１ｅ上縁と棟側脚部１ｅ上縁との間に形成される棟側載置部１ｂ１と、軒側脚部１ｅ上縁から軒側に形成される軒側載置部１ｂ２とからなる。
棟側載置部１ｂ１は、後で説明する屋根材１９の軒側成形部１９ｃまたは棟側成形部１９ａまたは当該両成形部１９ｃ．１９ａが係合した状態で係止される被係止部７ｃを有する保持部材７が当該棟側載置部１ｂ１に載置した状態にビス９で固定可能に形成されている。
軒側載置部１ｂ２は、後で説明する太陽電池モジュール６の棟側端部６ｂが当該軒側載置部１ｂ２に載乗した状態に支持し得るように形成されている。
これら棟側載置部１ｂ１と軒側載置部１ｂ２との間には、図示実施例の場合、太陽電池モジュール６の棟側端部６ｂが凹みに収まる程度に若干の段差１ｂ３をつけて形成してある。なお、その他の例として、棟側載置部１ｂ１と軒側載置部１ｂ２を段差なしのフラット状態で形成することも可能である。
そして、載乗部１ｄは、起立部１ｃ上縁から軒側に延びる棟側載乗部１ｄ１と、その軒側から棟側載置部１ｂ１の上方へ延びる被取付部１ｄ２とからなる。
この棟側載乗部１ｄ１は、太陽電池モジュール６の軒側端部６ａが当該棟側載乗部１ｄ１に載乗した状態に支持し得るように形成されている。
被取付部１ｄ２は、太陽電池モジュール６の軒側端部６ａを棟側載乗部１ｄ１に載乗した状態に押さえる保持カバー部材８がボルト１０、ナット１１で取付け可能に形成されている。
また被取付部１ｄ２は、図示実施例の場合、ボルト頭部１０ａを把持可能な溝部１ｆと、この溝部１ｆ上面から抜け出ぬようにネジ部１０ｂのみが突出可能な開口部１ｇを有しており、溝部１ｆに沿い桁行き方向に移動可能なボルト１０、ナット１１で保持カバー部材８を取付け可能に形成されている。なお、被取付部１ｄ２は、図示実施例のボルト１０の頭部１０ａを挿嵌可能なものの他に、ビス等の固着具を固定可能なものでもよい。
【００１４】
軒側載置部１ｂ２下側の軒側脚部１ｅ途中には、軒側受け部１ｈを上位の軒側載置部１ｂ２と上下対向状に設けてあり、この軒側載置部１ｂ２と軒側受け部１ｈ間の軒側に向けて開口している差込部１ｉは、桁行き方向に隣り合う太陽電池モジュール６の左右の側縁部６ｃを保持する接続部材１３における下接続部材１４の軒側端部１４ｅが当該差込部１ｉに挿入可能に形成されている。
起立部１ｃにおける棟側載乗部１ｄ１の棟側下位には、上面開放状の棟側受け部１ｊを設けてあり、この棟側受け部１ｊは、下接続部材１４の棟側端部１４ｄが当該棟側受け部１ｊに載乗可能に形成されている。
棟側載置部１ｂ１上の起立部１ｃ軒側面には、被係合部１ｋを設けてあり、この被係合部１ｋは、保持部材７における棟側端部の係合部７ｂが係合可能に形成されている。
被取付部１ｄ２裏面には係合凹部１ｍを設けてあり、この係合凹部１ｍは、屋根材１９における棟側成形部１９ａ上部が係合可能に形成されている。
【００１５】
図２〜図３には本発明の外装構築用支持部材を用いた外装構造における実施の１形態として、前記した図１の支持部材を用いて太陽電池モジュールからなる屋根面を構築した例を示しており、下地２全域に敷設された下葺き部材３上の流れ方向（軒棟方向）に沿う垂木４上に支持部材１を桁行き方向に架設して上下平行状に配設してある。この支持部材１は棟側と軒側の固定部１ａを垂木４の上面部４ａから切り起こした棟側および軒側の掛止爪部４ｂでそれぞれ掛止して同上面部４ａに固定してある。上面部４ａのストッパー４ｃは、軒側の固定部１ａが軒側の掛止爪部４ｂとの掛止状態にビス５で止め固定されるまで、棟側の固定部１ａが掛止爪部４ｂとの掛止状態から外れ動かないように支えている。また、支持部材１の長手方向の端縁下側の下葺き部材３上には排水空間３ａを設けてある。
かかる支持部材１の軒側載置部１ｂ２には下段側の太陽電池モジュール６の棟側端部６ｂを載乗すると共に上段側の太陽電池モジュール６の軒側端部６ａを棟側載乗部１ｄ１に載乗し、棟側端部６ｂを保持部材７で、軒側端部６ａを保持カバー部材８で、それぞれ上側から押え付けて挟持状に組み付けてある。
【００１６】
保持部材７は、桁行き方向に長尺状の同一断面形状のもので、軒側には軒側押え部７ａを太陽電池モジュール６の棟側端部６ｂを押え可能に、棟側には係合部７ｂを支持部材１の被係合部１ｋと係合可能に、棟側上には被係止部７ｃを屋根材１９の軒側成形部１９ｃまたは棟側成形部１９ａまたは当該両成形部１９ａ，１９ｃが係合した状態で係止可能に、軒側押え部７ａ上には被掛止部７ｄを保持カバー部材８の掛止部８ｂと掛止可能に、それぞれ形成してある。
この保持部材７は、棟側端部の係合部７ｂが被係合部１ｋに係合して棟側載置部１ｂ１上に載置した状態にビス９で取り付け固定してあり、軒側押え部７ａと軒側載置部１ｂ２との間に下段側の太陽電池モジュール６の棟側端部６ｂを挟持状に保持してある。
【００１７】
保持カバー部材８は、桁行き方向に長尺状の同一断面形状のもので、棟側には棟側押え部８ａを太陽電池モジュール６の軒側端部６ａを押え可能に、軒側には掛止部８ｂを保持部材７の被掛止部７ｄと係合可能に、それぞれ形成してある。棟側押え部８ａから被掛止部７ｄに到る斜面部８ｃは後で説明する屋根部材１９の軒側断面形状と略同一に形成するようにしてもよい。また、棟側押え部８ａの軒側には、被取付部１ｄ２における開口部１ｇから突出状のボルト１０のネジ部１０ｂが貫挿可能な孔８ｄを開け、孔８ｄを貫挿するネジ部１０ｂにナット１１を螺合することで、保持カバー部材８を被取付部１ｄ２に取付け固定可能に形成してある。
この保持カバー部材８は被取付部１ｄ２に、棟側押え部８ａが太陽電池モジュール６の軒側端部６ａを押え、掛止部８ｂが被掛止部７ｄに係合した状態に、ボルト１０、ナット１１で取付け固定してあり、棟側押え部８ａと棟側載乗部１ｄ１との間に上段側の太陽電池モジュール６の軒側端部６ａを挟持状に保持してあると共に、上段側の太陽電池モジュール６の軒側端部６ａと下段側の太陽電池モジュール６の棟側端部６ｂとの間を斜面部８ｃで覆うことにより屋根材１９の軒側形状すなわち軒側斜面部１９ｄと略同一に整えてある。
【００１８】
太陽電池モジュール６は、矩形状の板状のもので、棟側端部６ｂを軒側押え部７ａと軒側載置部１ｂ２との間に、棟側端部６ｂを棟側押え部８ａと棟側載乗部１ｄ１との間に、左右の側縁部６ｃを接続部材１３における下接続部材１４と上接続部材１５との間に、それぞれパッキン１２を経て挟持状に保持してあり、同モジュール６における四辺全ての水密性が保たれた保持関係にしてある。
この太陽電池モジュール６の桁行き方向に隣り合う左右の側縁部６ｃは、接続部材１３すなわち下接続部材１４と上接続部材１５で挟持状に保持している。
【００１９】
接続部材１３は、上段側の支持部材１における差込部１ｉと下段側の支持部材１における棟側受け部１ｊ間に亘る長さの下接続部材１４と、軒側押え部７ａと棟側押え部８ａとの間の長さ状の上接続部材１５からなり、下接続部材１４には排水部１４ａ中央の固定部１４ｂの左右に載乗部１４ｃを延設し、上接続部材１５には左右の押え部１５ａを設けてある。
この下接続部材１４は、棟側端部１４ｄを差込部１ｉに挿入状に収め、軒側端部１４ｅを棟側受け部１ｊに載置し且つビス１６で軒側端部１４ｅを棟側受け部１ｊに止着して上下段の支持部材１間に架橋状に取り付けてある。
そして、下接続部材１４の左右の載乗部１４ｃと上接続部材１５の左右の押え部１５ａとの間には、桁行き方向に隣り合う太陽電池モジュール６の左右の側縁部６ｃをそれぞれ挟持して保持し、ボルト１７、ナット１８で下接続部材１４と上接続部材１５を固定することにより、太陽電池モジュール６の左右の側縁部６ｃを挟持状に保持してある。
【００２０】
これにより、屋根面を構成する上段側と下段側の太陽電池モジュール６は支持部材１に対して、軒側端部６ａと棟側端部６ｂを保持部材７と保持カバー部材８でそれぞれ挟持状に保持されている一方で、左右の側縁部６ｃを接続部材１３で挟持状に保持されて組み付けられている。
そして、太陽電池モジュール６を点検、補修、交換する等のメンテナンス時には、ナット１１，１８、ビス９を外して、上接続部材１５と保持カバー部材８と保持部材７を取り外すことで、軒側載置部１ｂ２および棟側載乗部１ｄ１から太陽電池モジュール６を引き上げて取り外せる。
【００２１】
図４には本発明の外装構築用支持部材を用いた外装構造における実施の１形態として、前記した図１の支持部材を用いて太陽電池モジュールからなる屋根面を構築した他の例を示しており、構成は前記図２に例示した態様のものと保持部材と保持カバー部材を一部材で形成してある点を除いて基本的に同一であるため、共通している構成の説明は符号を準用して省略し、相違する構成について説明する。
下段側の太陽電池モジュール６は棟側端部６ｂを支持部材１の軒側載置部１ｂ２と保持カバー部材８で挟持状に保持し、上段側の太陽電池モジュール６は軒側端部６ａを支持部材１の棟側載乗部１ｄ１と保持カバー部材８で挟持状に保持してある。
保持カバー部材８は、斜面部８ｃの軒側の軒側押え部８ｅで太陽電池モジュール６の棟側端部６ｂを押え可能に、この軒側押え部８ｅの棟側に係合部８ｆを支持部材１の被係合部１ｋと係合可能に、それぞれ形成してある。
この保持カバー部材８は被取付部１ｄ２に、棟側押え部８ａが太陽電池モジュール６の軒側端部６ａを押え、軒側押え部８ｅが太陽電池モジュール６の棟側端部６ｂを押え、係合部８ｆが被係合部１ｋに係合した状態に、ボルト１０、ナット１１で取付け固定してあり、棟側押え部８ａと棟側載乗部１ｄ１との間に上段側の太陽電池モジュール６の軒側端部６ａを挟持状に保持してあると共に、軒側押え部８ｅと軒側載置部１ｂ２との間に下段側の太陽電池モジュール６の棟側端部６ｂを挟持状に保持し、且つ斜面部８ｃにより上段側の太陽電池モジュール６の軒側端部６ａと下段側の太陽電池モジュール６の棟側端部６ｂとの間を覆うことで屋根部材１９の軒側形状と略同一に整えてある。
【００２２】
図５には本発明の外装構築用支持部材を用いた外装構造における実施の１形態として、前記した図１の支持部材を用いて太陽電池モジュールからなる屋根面を構築した他の例を示しており、構成は前記図４に例示した態様のものと保持部材を用いていない点をのぞけば基本的に同一であるため、共通している構成の説明は符号を準用して省略し、相違する構成について説明する。
下段側の太陽電池モジュール６は棟側端部６ｂを支持部材１の軒側載置部１ｂ２と保持カバー部材８で挟持状に保持し、上段側の太陽電池モジュール６は軒側端部６ａを支持部材１の棟側載乗部１ｄ１と保持カバー部材８で挟持状に保持してある。
保持カバー部材８は、斜面部８ｃの軒側の軒側押え部８ｅで太陽電池モジュール６の棟側端部６ｂを押え可能に形成してある。
この保持カバー部材８は被取付部１ｄ２に、棟側押え部８ａが太陽電池モジュール６の軒側端部６ａを押え、軒側押え部８ｅが太陽電池モジュール６の棟側端部６ｂを押えた状態に、ボルト１０、ナット１１で取付け固定してあり、棟側押え部８ａと棟側載乗部１ｄ１との間に上段側の太陽電池モジュール６の軒側端部６ａを挟持状に保持してあると共に、軒側押え部８ｅと軒側載置部１ｂ２との間に下段側の太陽電池モジュール６の棟側端部６ｂを挟持状に保持し、且つ斜面部８ｃにより上段側の太陽電池モジュール６の軒側端部６ａと下段側の太陽電池モジュール６の棟側端部６ｂとの間を覆うことで屋根部材１９の軒側形状と略同一に整えてある。
【００２３】
図６には本発明の外装構築用支持部材を用いた外装構造における実施の１形態として、前記した図１の支持部材を用いて上段側の太陽電池モジュールと下段側の屋根材からなる屋根面を構築した例を示しており、構成は前記図２に例示した態様のものと基本的に同一であるため、共通している構成の説明は符号を準用して省略し、相違する構成について説明する。
支持部材１の棟側載置部１ｂ１にビス９で取付け固定してある保持部材７は、軒側押え部７ａを除いて形成してあり、被係止部７ｃには下段側の屋根材１９における棟側成形部１９ａが係止している。
そして、屋根材１９における棟側成形部１９ａの軒側の垂直状水切り部１９ｂには保持カバー部材８の掛止部８ｂを当接することで、被係止部７ｃから屋根材１９における棟側成形部１９ａが抜け外れないようにしてある。
これにより、屋根面を構成する上段側の太陽電池モジュール６と下段側の屋根材１９は支持部材１に対して、軒側端部６ａを保持カバー部材８で挟持状に保持されている一方で、棟側成形部１９ａを保持部材７および保持カバー部材８で係止状態に保持されて組み付けられている。
そして、太陽電池モジュール６あるいは屋根材１９を点検、補修、交換する等のメンテナンス時には、ナット１１，１８を外して上接続部材１５と保持カバー部材８を取り外すことで、棟側載乗部１ｄ１から太陽電池モジュール６を引き上げて取り外せるし、被係止部７ｃから屋根材１９を取り外せる。
【００２４】
図７には本発明の外装構築用支持部材を用いた外装構造における実施の１形態として、前記した図１の支持部材を用いて上段側の太陽電池モジュールと下段側の屋根材からなる屋根面を構築した例を示しており、構成は前記図６に例示した態様のものと保持部材を用いていない点をのぞけば基本的に同一であるため、共通している構成の説明は符号を準用して省略し、相違する構成について説明する。
支持部材１の係合凹部１ｍには下段側の屋根材１９における棟側成形部１９ａが係止している。
そして、屋根材１９における棟側成形部１９ａの軒側の垂直状水切り部１９ｂ際には保持カバー部材８の掛止部８ｂを掛止することで、係合凹部１ｍから屋根材１９における棟側成形部１９ａが抜け外れないようにしてある。
これにより、屋根面を構成する上段側の太陽電池モジュール６と下段側の屋根材１９は支持部材１に対して、保持カバー部材８で軒側端部６ａを挟持状に保持されている一方で、棟側成形部１９ａを係止状態に保持されて組み付けられている。
そして、太陽電池モジュール６あるいは屋根材１９を点検、補修、交換する等のメンテナンス時には、ナット１１，１８を外して上接続部材１５と保持カバー部材８を取り外すことで、棟側載乗部１ｄ１から太陽電池モジュール６を引き上げて取り外せるし、係合凹部１ｍから屋根材１９を取り外せる。
【００２５】
図８には本発明の外装構築用支持部材を用いた外装構造における実施の１形態として、前記した図１の支持部材を用いて上段側の屋根材と下段側の太陽電池モジュールからなる屋根面を構築した例を示しており、構成は前記図２に例示した態様のものと保持カバー部材を用いていない点をのぞけば基本的に同一であるため、共通している構成の説明は符号を準用して省略し、相違する構成について説明する。
支持部材１の棟側載置部１ｂ１にビス９で取付け固定してある保持部材７における被係止部７ｃには、上段側の屋根材１９における軒側成形部１９ｃが係止している。また、屋根材１９における軒側斜面部１９ｄは保持部材７の被掛止部７ｄに載乗している。
これにより、屋根面を構成する上段側の屋根材１９と下段側の太陽電池モジュール６は支持部材１に対して、保持部材７でモジュールの棟側端部６ｂを挟持状に保持されている一方で、当該保持部材７で屋根材の軒側成形部１９ｃを係止状態に保持されて組み付けられている。
そして、太陽電池モジュール６あるいは屋根材１９を点検、補修、交換する等のメンテナンス時には、ナット１８およびビス９を外して上接続部材１５と保持部材７を取り外すことで、軒側載置部１ｂ２から太陽電池モジュール６を引き上げて取り外せるし、被係止部７ｃから屋根材１９を取り外せる。
【００２６】
図９には本発明の外装構築用支持部材を用いた外装構造における実施の１形態として、前記した図１の支持部材を用いて上段側の屋根材と下段側の太陽電池モジュールからなる屋根面を構築した例を示しており、構成は前記図８に例示した態様のものと基本的に同一であるため、共通している構成の説明は符号を準用して省略し、相違する構成について説明する。
支持部材１の棟側載置部１ｂ１にビス９で取付け固定してある保持部材７における被係止部７ｃには、上段側の屋根材１９における軒側成形部１９ｃが係止している。また、屋根材１９における軒側斜面部１９ｄは保持部材７の被掛止部７ｄに載乗している。
これにより、屋根面を構成する上段側の屋根材１９と下段側の太陽電池モジュール６は支持部材１に対して、保持部材７でモジュールの棟側端部６ｂを挟持状に保持されている一方で、当該保持部材７で屋根材１９の軒側成形部１９ｃを係止状態に保持されて組み付けられている。
そして、太陽電池モジュール６あるいは屋根材１９を点検、補修、交換する等のメンテナンス時には、被係止部７ｃから屋根材１９を取り外せるし、ナット１８およびビス９を外して上接続部材１５と保持部材７を取り外すことで、軒側載置部１ｂ２から太陽電池モジュール６を引き上げて取り外せる。
【００２７】
図１０には本発明の外装構築用支持部材を用いた外装構造における実施の１形態として、前記した図１の支持部材を用いて上下段が屋根材からなる屋根面を構築した例を示しており、構成は前記した図６に例示した態様のものと保持カバー部材を用いていない点をのぞけば基本的に同一であるため、共通している構成の説明は符号を準用して省略し、相違する構成について説明する。
支持部材１の棟側載置部１ｂ１に保持部材７をビス９で固定し、この保持部材７の被係止部７ｃに下段側の屋根材１９における棟側成形部１９ａを係止し、かかる棟側成形部１９ａに上段側の屋根材１９の軒側成形部１９ｃを係止してある。
これにより、屋根面を構成する上下段の屋根材１９は支持部材１に対して、保持部材７で係止状態に保持されて組み付けられている。
そして、屋根材１９を点検、補修、交換する等のメンテナンス時には、軒側成形部１９ｃを棟側成形部１９ａから取り外し、棟側成形部１９ａを被係止部７ｃから取り外すことで行える。
【００２８】
図１１には本発明の外装構築用支持部材を用いた外装構造における実施の１形態として、前記した図１の支持部材を用いて上下段が屋根材からなる屋根面を構築した例を示しており、構成は前記した図１０に例示した態様のものと保持部材に替えて保持カバー部材を用いている点をのぞけば基本的に同一であるため、共通している構成の説明は符号を準用して省略し、相違する構成について説明する。
支持部材１の係合凹部１ｍに下段側の屋根材１９における棟側成形部１９ａを係止し、かかる棟側成形部１９ａに上段側の屋根材１９の軒側成形部１９ｃを係止してある。
そして、被取付部１ｄ２には保持カバー部材８を、棟側押え部８ａが屋根材１９の軒側端部を押えて、掛止部８ｂが棟側成形部１９ａの軒側の垂直状水切り部１９ｂ際に掛止した状態に、ボルト１０、ナット１１で取付け固定してあり、上下段の屋根材１９における棟側成形部１９ａと軒側成形部１９ｃの係止関係が保持されるように組み付けてある。
これにより、屋根面を構成する上下段の屋根材１９は支持部材１に対して、保持カバー部材８で係止状態に保持されて組み付けられている。
そして、屋根材１９を点検、補修、交換する等のメンテナンス時には、ナット１１および保持カバー部材８を外して、軒側成形部１９ｃを棟側成形部１９ａから取り外し、棟側成形部１９ａを係合凹部１ｍから取り外すことで行える。
【００２９】
このように、前記した支持部材１を共通部品とすることで、同じ屋根面に共存することが多い太陽電池モジュール６同士による接続構成、太陽電池モジュール６と屋根材１９による接続構成、屋根材１９同士による接続構成の全てを構築できる。
また、前記した支持部材１を共通部品とすることにより、太陽電池モジュール６同士が接続する屋根面を、太陽電池モジュール６と屋根材１９が接続する屋根面を、屋根材１９同士が接続する屋根面を、それぞれ構築できる。
したがって、支持部材１を共用できることで、外装材別に専用の支持部材を用意する必要がなくなり、部品点数が少なくなることで、施工が容易であり、部品管理もし易く、製作コストが安価に済む。
また、接続部材１３による太陽電池モジュール６同士の桁行き方向の接続は、当該モジュール６同士以外にも、太陽電池モジュール６と屋根材１９（図１２参照）の接続用、屋根材１９同士の接続用に有用である。
【符号の説明】
【００３０】
１  支持部材
１ａ  固定部
１ｂ  載置部
１ｂ１  棟側載置部
１ｂ２  軒側載置部
１ｂ３  段差
１ｃ  起立部
１ｄ  載乗部
１ｄ１  棟側載乗部
１ｄ２  被取付部
１ｅ  脚部
１ｆ  溝部
１ｇ  開口部
１ｈ  軒側受け部
１ｉ  差込部
１ｊ  棟側受け部
１ｋ  被係合部
１ｍ  係合凹部
２  下地
３  下葺き部材
３ａ  排水空間
４  垂木
４ａ  上面部
４ｂ  掛止爪部
４ｃ  ストッパー
５，９，１６  ビス
６  太陽電池モジュール
６ａ  軒側端部
６ｂ  棟側端部
６ｃ  左右の側縁部
７  保持部材
７ａ  軒側押え部
７ｂ  係合部
７ｃ  被係止部
７ｄ  被掛止部
８  保持カバー部材
８ａ  棟側押え部
８ｂ  掛止部
８ｃ  斜面部
８ｄ  孔
８ｅ  軒側押え部
８ｆ  係合部
１０，１７  ボルト
１０ａ  ボルト頭部
１０ｂ  ネジ部
１１，１８  ナット
１２  パッキン
１３  接続部材
１４  下接続部材
１４ａ  排水部
１４ｂ  固定部
１４ｃ  載乗部
１４ｄ  軒側端部
１４ｅ  棟側端部
１５  上接続部材
１５ａ  押え部
１９  屋根材
１９ａ  棟側成形部
１９ｂ  垂直状水切り部
１９ｃ  軒側成形部
１９ｄ  軒側斜面部
【図１】
2011202504.tif 000003
【図２】
2011202504.tif 000004
【図３】
2011202504.tif 000005
【図４】
2011202504.tif 000006
【図５】
2011202504.tif 000007
【図６】
2011202504.tif 000008
【図７】
2011202504.tif 000009
【図８】
2011202504.tif 000010
【図９】
2011202504.tif 000011
【図１０】
2011202504.tif 000012
【図１１】
2011202504.tif 000013
【図１２】
2011202504.tif 000014